(57)【要約】【課題】少なくとも２つのタイヤ性能に対する要求を満たすことができる空気入りタイヤを効率的に設計することができるタイヤ設計方法、タイヤ設計プログラムおよびタイヤ設計装置を提供すること。【解決手段】少なくとも１層のベルト層を有する空気入りタイヤのタイヤ設計方法において、ベルト層のうちタイヤ赤道面からベルト端部までの範囲をタイヤ幅方向に複数の領域に分割し（ステップＳ１）、この分割された各領域におけるベルト構造の設計要素を設計変数に設定し（ステップＳ２）、少なくとも２つのタイヤ性能に影響を与える評価特性値により構成される目的関数を設定し（ステップＳ３）、この目的関数が最適値となる各領域の設計変数を求め（ステップＳ４）、この求められた設計変数に基づいて空気入りタイヤを設計する（ステップＳ５）。【選択図】        図２
2006248324.tif 000002
【特許請求の範囲】
【請求項１】
少なくとも１層のベルト層を有する空気入りタイヤのタイヤ設計方法において、
前記ベルト層のうちタイヤ赤道面からベルト端部までの範囲をタイヤ幅方向に複数の領域に分割するベルト分割手順と、
前記分割された各領域におけるベルト構造の設計要素を設計変数に設定する設計変数設定手順と、
少なくとも２つのタイヤ性能に影響を与える評価特性値により構成される目的関数を設定する目的関数設定手順と、
前記目的関数が最適値となる各領域の設計変数を求める最適化手順と、
前記求められた設計変数に基づいて空気入りタイヤを設計するタイヤ設計手順と、
を含むことを特徴とするタイヤ設計方法。
【請求項２】
前記ベルト分割手順は、前記ベルト層が複数層の際に、当該ベルト層のうちタイヤ幅方向に最も長い層を少なくとも３以上の領域に分割することを特徴とする請求項１に記載のタイヤ設計方法。
【請求項３】
前記設計変数設定手順は、前記設計変数に少なくともコード勾配角度、コード間隔、コード断面積、コード弾性率、コード質量密度、ゴムモジュラス、ゴム質量密度、ゴム厚さのいずれか１つを含ませることを特徴とする請求項１または２に記載のタイヤ設計方法。
【請求項４】
前記目的関数設定手順は、前記評価特性値に、少なくとも引張り剛性、面内曲げ剛性、面外曲げ剛性のいずれか１つを含ませることを特徴とする請求項１〜３のいずれか１項に記載のタイヤ設計方法。
【請求項５】
前記目的関数設定手順は、前記少なくとも２つの評価特性値の重み付き線形和により目的関数を求めることを特徴とする請求項１〜４のいずれか１項に記載のタイヤ設計方法。
【請求項６】
前記目的関数設定手順は、前記目的関数と前記設計変数との関係を近似関数で近似する関数近似手順を含み、
前記最適化手順は、前記近似関数により前記目的関数が最適値となる設計変数を求めることを特徴とする請求項１〜５のいずれか１項に記載のタイヤ設計方法。
【請求項７】
前記請求項１〜６のいずれか１項に記載のタイヤ設計方法をコンピュータに実行させることを特徴とするタイヤ設計プログラム。
【請求項８】
少なくとも１層のベルト層のうちタイヤ赤道面からベルト端部までの範囲をタイヤ幅方向に複数の領域に分割するベルト分割手段と、
前記分割された各領域におけるベルト構造の設計要素を設計変数に設定する設計変数設定手段と、
少なくとも２つのタイヤ性能に影響を与える評価特性値により構成される目的関数を設定する目的関数設定手段と、
前記目的関数が最適値となる各領域の設計変数を求める最適化手段と、
前記求められた設計変数に基づいて少なくとも１層のベルト層を有する空気入りタイヤを設計するタイヤ設計手段と、
を備えることを特徴とするタイヤ設計装置。
【発明の詳細な説明】
【技術分野】
【０００１】
本発明は、タイヤ設計方法、タイヤ設計プログラムおよびタイヤ設計装置に関し、さらに詳しくは、少なくとも２つのタイヤ性能に対する要求を満たす空気入りタイヤを設計することができるタイヤ設計方法、タイヤ設計プログラムおよびタイヤ設計装置に関するものである。
【背景技術】
【０００２】
空気入りタイヤのベルト層のベルト構造は、操縦安定性、乗り心地性、耐久性、騒音特性などのタイヤ性能に影響を及ぼすものである。従って、ベルト構造の設計要素の決定は、空気入りタイヤのタイヤ性能を左右することとなる。
【０００３】
従来においては、１つのタイヤ性能に対する要求を満たす空気入りタイヤの設計方法として、例えば特許文献１に示すような方法がある。この特許文献１に示す空気入りタイヤの設計方法は、ベルト構造を表す設計変数として、補強材配設部及び補強材非配設部の各々の長さ、補強材の材質および補強材の角度（配設方向）を用い、遺伝的アルゴリズムを適用し、設計変数の値を最適化し、空気入りタイヤのベルト構造を含むタイヤの設計を行うものである。
【０００４】
上記特許文献１に示す空気入りタイヤの設計方法では、１つのタイヤ性能に影響を与える評価特性値により目的関数を構成し、他のタイヤ性能に影響を与える評価特性値を制約条件に設定する。そして、目的関数を制約条件の範囲内で設計変数の値を最適化するものである。従って、２つ以上のタイヤ性能に対する要求を満たすことはできないという問題がある。
【０００５】
ところで、ベルト構造の設計要素のうち、特にコード勾配角度、すなわちタイヤ周方向に対するコードの角度は、操縦安定性、乗り心地性、耐久性に多大な影響を与えることが知られている。
【０００６】
例えば、ベルト層の全領域のコードのコード勾配角度を小さく、すなわちタイヤ周方向に対するコードの角度を小さくすると、引張り剛性および面内曲げ剛性が高くなり、これらの剛性がそれぞれ関係するタイヤ性能である耐久性および高荷重時における操縦安定性は向上することとなる。しかし、それと同時に面外曲げ剛性も高くなり、突起乗り越し時の衝撃力が大きくなるため、この剛性が関係するタイヤ性能である乗り心地性が悪化することとなる。
【０００７】
一方、ベルト層の全領域のコードのコード勾配角度を大きく、すなわちタイヤ周方向に対するコードの角度を大きくすると、面外曲げ剛性が低くなり、突起乗り越し時の衝撃力が小さくなるため、この剛性が関係するタイヤ性能である乗り心地性が向上することとなる。しかし、それと同時に引張り剛性および面内曲げ剛性が低くなり、これらの剛性にそれぞれ関係するタイヤ性能である耐久性および高荷重時における操縦安定性が悪化することとなる。
【０００８】
【特許文献１】特開平９−３２３３６７号公報
【発明の開示】
【発明が解決しようとする課題】
【０００９】
以上のように、ベルト構造の設計要素を単にベルト層の全領域で一律に変化させても、タイヤ性能のいずれかが向上するがこのタイヤ性能のいずれかが悪化することとなる。つまり、例えば、２つ以上のタイヤ性能に対する要求を満たすためには、ベルト層のコードのコード勾配角度をこのベルト層の全領域で一律ではなく変化させる必要がある。そこで、従来のタイヤ設計方法においては、ベルト層のコードのコード勾配角度を変化させた空気入りタイヤを試作し、この空気入りタイヤのタイヤ性能を試験するということを繰り返し、２つ以上のタイヤ性能に対する要求を満たす空気入りタイヤを設計していた。
【００１０】
この発明は、上記に鑑みてなされたものであって、少なくとも２つのタイヤ性能に対する要求を満たすことができる空気入りタイヤを効率的に設計することができるタイヤ設計方法、タイヤ設計プログラムおよびタイヤ設計装置を提供することを目的とする。
【課題を解決するための手段】
【００１１】
上述した課題を解決し、目的を達成するために、この発明では、少なくとも１層のベルト層を有する空気入りタイヤのタイヤ設計方法において、前記ベルト層のうちタイヤ赤道面からベルト端部までの範囲をタイヤ幅方向に複数の領域に分割するベルト分割手順と、前記分割された各領域におけるベルト構造の設計要素を設計変数に設定する設計変数設定手順と、少なくとも２つのタイヤ性能に影響を与える評価特性値により構成される目的関数を設定する目的関数設定手順と、前記目的関数が最適値となる各領域の設計変数を求める最適化手順と、前記求められた設計変数に基づいて空気入りタイヤを設計するタイヤ設計手順とを含むことを特徴とする。
【００１２】
なお、前記ベルト分割手順は、前記ベルト層が複数層の際に、当該ベルト層のうちタイヤ幅方向に最も長い層を少なくとも３以上の領域に分割することが好ましい。
【００１３】
また、前記設計変数設定手順は、前記設計変数に少なくともコード勾配角度、コード間隔、コード断面積、コード弾性率、コード質量密度、ゴムモジュラス、ゴム質量密度、ゴム厚さのいずれか１つを含ませることが好ましい。
【００１４】
また、前記目的関数設定手順は、前記評価特性値に、少なくとも引張り剛性、面内曲げ剛性、面外曲げ剛性のいずれか１つを含ませることがこの好ましい。
【００１５】
また、前記目的関数設定手順は、前記少なくとも２つの評価特性値の重み付き線形和により目的関数を求めることが好ましい。
【００１６】
また、前記目的関数設定手順は、前記目的関数と前記設計変数との関係を近似関数で近似する関数近似手順を含み、前記最適化手順は、前記近似関数により前記目的関数が最適値となる設計変数を求めることが好ましい。
【００１７】
また、この発明では、空気入りタイヤのタイヤ設計装置であって、少なくとも１層のベルト層のうちタイヤ赤道面からベルト端部までの範囲をタイヤ幅方向に複数の領域に分割するベルト分割手段と、前記分割された各領域におけるベルト構造の設計要素を設計変数に設定する設計変数設定手段と、少なくとも２つのタイヤ性能に影響を与える評価特性値により構成される目的関数を設定する目的関数設定手段と、前記目的関数が最適値となる各領域の設計変数を求める最適化手段と、前記求められた設計変数に基づいて少なくとも１層のベルト層を有する空気入りタイヤを設計するタイヤ設計手段と、を備えることを特徴とする。
【００１８】
これらの発明によれば、少なくとも２つのタイヤ性能に影響を与える評価特性値により構成される目的関数が最適化となる設計変数を少なくとも１層のベルト層のうちタイヤ赤道面からベルト端部までの範囲をタイヤ幅方向に分割することで形成される領域ごとに求め、求められた設計変数に基づいて少なくとも１層のベルト層を有する空気入りタイヤを設計する。従って、求められた設計変数は、タイヤ性能に影響を与える少なくとも２つの評価特性値を満たすものとなるため、少なくとも２つのタイヤ性能に対する要求を満たすものとなる。これにより、少なくとも２つのタイヤ性能に対する要求を満たすことができる空気入りタイヤを効率的に設計することができる。
【００１９】
また、この発明のタイヤ設計プログラムでは、上記タイヤ設計方法をコンピュータに実行させることを特徴とする。
【００２０】
この発明によれば、タイヤ設計プログラムをコンピュータに読み取らせて実行することによって、上記タイヤ設計方法をコンピュータを利用して実現することができ、これらの各方法と同様の効果を得ることができる。
【発明の効果】
【００２１】
この発明にかかるタイヤ設計方法、タイヤ設計プログラムおよびタイヤ設計装置は、少なくとも２つのタイヤ性能に対する要求を満たすことができる空気入りタイヤを効率的に設計することができる。
【発明を実施するための最良の形態】
【００２２】
以下、この発明につき図面を参照しつつ詳細に説明する。なお、下記の実施例によりこの発明が限定されるものではない。また、下記の実施例における構成要素には、当業者が容易に想定できるもの或いは実質的に同一のものが含まれる。
【実施例】
【００２３】
図１は、この発明にかかるタイヤ設計方法を実行するタイヤ設計装置の構成例を示す図である。同図に示すように、タイヤ設計装置１０は、処理部１１と、記憶部１２と、入力ポート１３INと、出力ポート１３OUTとにより構成されている。この処理部１１および記憶部１２は、入力ポート１３INおよび出力ポート１３OUTにそれぞれ接続されている。
【００２４】
処理部１１は、ベルト分割部１４と、設計変数設定部１５と、目的関数設定部１６と、最適化部１７と、タイヤ設計部１８とを含んで構成されている。タイヤ設計装置１０は、これらにより、この発明にかかるタイヤ設計方法を実行する。このベルト分割部１４、設計変数設定部１５、目的関数設定部１６、最適化部１７、タイヤ設計部１８は、入力ポート１３INおよび出力ポート１３OUTにそれぞれ接続されている。
【００２５】
また、タイヤ設計装置１０には、端末装置２０および各種データサーバー３０が接続されている。つまり、端末装置２０および各種データサーバー３０は、それぞれ入力ポート１３INおよび出力ポート１３OUTに接続されている。この端末装置２０は、この発明にかかるタイヤ設計方法を実行するのに必要なデータをこの端末装置２０に接続された入力装置２１からタイヤ設計装置１０に入力するものである。この必要なデータとしては、例えば、後述するベルト層１の分割数および分割位置、目的関数を構成する評価特性値、設計変数である設計要素などである。また、この端末装置２０は、タイヤ設計装置１０から後述する領域ごとの求められた設計変数である設計要素の値などが入力され、この端末装置２０に接続された表示装置２２にベルト層１の各領域における設計変数であるこの設計要素の値を表示するものである。また、処理部１１の各部１４〜１８がタイヤ設計方法を実行する際には、上記各種のデータサーバー３０内に格納されている各種データベースを適宜利用することができる。
【００２６】
記憶部１２には、この発明にかかるタイヤ設計方法が組み込まれたタイヤ設計プログラム（以下、「プログラム」と称する）が格納されている。また、上記各種のデータサーバー３０から取得されたデータなどが格納される。ここで、記憶部１２は、ＲＡＭ、ＲＯＭ等のメモリ装置、ハードディスク等の固定ディスク装置、フレキシブルディスク、光ディスク等のストレージ手段等の組み合わせにより構成されている。
【００２７】
また、上記プログラムは、必ずしも単一的に構成されるものに限られず、コンピュータシステムにすでに記憶されているプログラム、例えばＯＳ（Operating System）に代表される別個のプログラムと協働してその機能を達成するものであっても良い。また、同図処理部１１の各部１４〜１８を実現するための上記プログラムをコンピュータ読み取り可能な記録媒体に記録して、この記録媒体に記録されたプログラムをコンピュータシステムに読み込ませ、実行することによりこの発明にかかるタイヤ設計方法を実行しても良い。なお、「コンピュータシステム」とは、上記ＯＳや周辺機器などのハードウェアを含むものである。
【００２８】
処理部１１は、ＲＡＭ、ＲＯＭ等のメモリとＣＰＵ（Central Processing Unit）とにより構成されている。タイヤ設計方法を実行する際には、処理部１１が上記プログラムを処理部１１の図示しないメモリに読み込んで演算を行う。なお、処理部１１は、適宜演算途中の数値を記憶部１２に格納し、格納した数値を適宜記憶部１２から取り出して演算を行う。なお、この処理部１１は、上記プログラムの替わりに専用のハードウェアにより、ベルト分割部１４、設計変数設定部１５、目的関数設定部１６、最適化部１７、タイヤ設計部１８が実現されるものであっても良い。
【００２９】
次に、この実施例にかかるタイヤ設計方法について説明する。図２には、この発明にかかるタイヤ設計方法のフローチャートを示す図である。図３は、タイヤ設計方法により設計する空気入りタイヤにおけるベルト層の分割の説明図である。図４−１〜２は、各領域におけるコード勾配角度と引張り剛性との関係を示す要因効果図である。図５−１〜２は、各領域におけるコード勾配角度と面内曲げ剛性との関係を示す要因効果図である。図６−１〜２は、各領域におけるコード勾配角度と面外曲げ剛性との関係を示す要因効果図である。図７は、各領域におけるコード勾配角度と各剛性との結果の一例を示す図である。図８は、各領域におけるコード勾配角度と各剛性との結果の一例を示す図である。なお、図７および図８に示す剛性指数は、コード勾配角度αを全領域において一律に２５°とした際における各剛性に対する相対指数である。
【００３０】
この実施例にかかるタイヤ設計方法では、図３に示すように、ベルト層１が２層（第１ベルト層２および第２ベルト層３）により構成されている空気入りタイヤを設計する場合について説明する。また、この実施例にかかるタイヤ設計方法では、タイヤ性能に影響を与える評価特性値として引張り剛性、面内曲げ剛性、面外曲げ剛性のうちいずれか２つを用い、ベルト層１のベルト構造の設計要素としてコード勾配角度αを用いる場合について説明する。
【００３１】
ここで、タイヤ性能に影響を与える評価特性値である引張り剛性、面内曲げ剛性、面外曲げ剛性は、タイヤ性能の中で重要である操縦安定性、乗り心地性、耐久性と密接な関係を有している。また、タイヤ性能に影響を与える評価特性値である引張り剛性、面内曲げ剛性、面外曲げ剛性は、ベルト層１のベルト構造の設計用素であるベルト層１を構成するコード４のコード勾配角度αと密接な関係を有している。
【００３２】
例えば、ベルト層１のタイヤ周方向における引張り剛性は、空気入りタイヤの耐久性と関係がある。例えば、タイヤ周方向への延びを小さくして、ベルト層１の変形量を小さくすることで、ベルト層１の層間（第１ベルト層２と第２ベルト層３との間）のゴムのせん断変形が小さくなり、ベルト層１の層間が剥離することによる破壊や破損を抑制することができることとなる。つまり、空気入りタイヤのタイヤ性能の１つである耐久性を向上させるためには、ベルト層１のタイヤ周方向における引張り剛性を増加させることが重要である。
【００３３】
また、ベルト層１の面内曲げ剛性は、空気入りタイヤの操縦安定性と関係がある。例えば、ベルト層１の面内曲げ剛性を高くすると、高荷重領域のコーナリングパワーが増加する。この高荷重領域のコーナリングパワーが増加したタイヤを車重が大きい乗用車の前輪に装着した場合は、ハンドルの操作を容易にすることができる。つまり、空気入りタイヤのタイヤ性能の１つである高荷重時における操縦安定性を向上させるためには、ベルト層１の面内曲げ剛性を増加させることが重要である。一方、空気入りタイヤのタイヤ性能の１つである低荷重時における操縦安定性を向上させるためには、ベルト層１の面内曲げ剛性を減少させることが重要である。
【００３４】
また、ベルト層１の面外曲げ剛性は、空気入りタイヤの乗り心地性と関係がある。例えば、ベルト層１の面外曲げ剛性を高くすると、空気入りタイヤが路面の突起を乗り越す際におけるベルト層１の上下反力が大きくなり、路面からの入力である衝撃力が空気入りタイヤや車軸を介して車両に伝達されやすくなる。つまり、空気入りタイヤのタイヤ性能の１つである乗り心地性を向上させるためには、ベルト層１の面外曲げ剛性を減少させることが重要である。
【００３５】
この発明にかかるタイヤ設計方法は、まず、図２に示すベルト層の最適を行う前に、設計するタイヤの諸条件を決定する。この諸条件としては、タイヤのサイズ、ベルト層１の積層数（この実施例では、２層）、ベルト層１の幅などである。なお、後述する処理部１１の設計変数設定部１５により設定され、設計変数として用いられるベルト構造の設計要素を除く他の設計要素なども含まれる。
【００３６】
次に、図２に示すように、処理部１１のベルト分割部１４がベルト層１の分割を行う（ステップＳ１）。具体的には、図３に示すように、ベルト層１のタイヤ赤道面からベルト端部１ａ、同図では第１ベルト層２の端部２ａまでの範囲をタイヤ幅方向に複数の領域に分割する。この実施例におけるタイヤ設計方法においては、ベルト層１のうち第１ベルト層２を９領域に分割し、第２ベルト層３を８領域に分割する。このベルト分割部１４が行うベルト層１の分割における分割数や分割位置は、例えば、ユーザが端末装置２０を操作することで、ベルト分割部１４に入力され、このベルト分割部１４がベルト層１の分割を行う。つまり、ユーザが表示装置２２に表示された指示（分割数や分割位置を設定するための指示）に従い、ベルト層１の分割数や分割位置の設定を入力手段２１により行う。なお、ベルト層１の分割は、ベルト層１のうちタイヤ赤道面からベルト端部１ａまでの範囲をタイヤ幅方向に複数の領域に分割することで行われるが、分割数や分割位置の設定は、タイヤ設計方法に用いられるタイヤ性能に影響を与える評価特性値、ベルト層１のベルト構造の設計要素などに応じて任意に決定されるものである。
【００３７】
ここで、発明者らは、同図に示すように、空気入りタイヤのベルト層１のタイヤ赤道面からベルト端部１ａまでの範囲をタイヤ幅方向に複数の領域（ここでは、第１ベルト層２を９領域、第２ベルト層３を８領域）に分割し、各領域におけるコード４のコード勾配角度α11〜α28と、各領域における引張り剛性、面内曲げ剛性、面外曲げ剛性との関係を調べた。具体的には、各領域におけるコード４のコード勾配角度α11〜α28は、２０°、２５°、３０°と変化させ、図４−１〜図６−２に示すような関係を得た。
【００３８】
図４−１〜図６−２に示すように、ベルト層１をタイヤ幅方向に、センタ、ショルダー、エッジと分割したとすると、センタにおける各領域のコード３のコード勾配角度α（例えば、α11，α12，α21，α28）は、引張り剛性および面外曲げ剛性に対する影響が大きいことが分かった。ショルダーにおける各領域のコード３のコード勾配角度α（例えば、α13〜α18，α23〜α28）は、面内曲げ剛性および面外曲げ剛性に対する影響が大きいことが分かった。エッジにおける各領域のコード３のコード勾配角度α（例えば、α19）は、面外曲げ剛性に対する影響が大きいことが分かった。つまり、ベルト層１の引張り剛性、面内曲げ剛性、面外曲げ剛性に対しては、少なくともこのベルト層１のタイヤ幅方向の各領域、特にセンタ、ショルダー、エッジにより与える影響が異なることが分かった。
【００３９】
従って、評価特性値として、引張り剛性、面内曲げ剛性、面外曲げ剛性のうちいずれか２つを用い、ベルト構造の設計要素として、コード４のコード勾配角度αを用いる場合については、ベルト層１のタイヤ赤道面からベルト端部１ａまでをタイヤ幅方向に少なくとも３以上の領域に分割することが好ましい。特に、ベルト層１が複数層である場合は、このベルト層１のうちタイヤ幅方向に最も長い層（通常、第１ベルト層２）のタイヤ赤道面からベルト端部（通常、第１ベルト層２の端部２ａ）までをタイヤ幅方向に少なくとも３以上の領域に分割することが好ましい。
【００４０】
ここで、ベルト層１のタイヤ幅方向における分割数は、この分割数を多くすると、少なくとも２つのタイヤ性能に対する要求を満足する度合いが向上し、タイヤ設計方法における演算時間が増加する。しかし、分割数が多いことによる少なくとも２つのタイヤ性能に対する要求を満足する度合いは、分割数が多いことによる演算時間の増加に対して小さい。従って、ベルト層１のタイヤ幅方向における分割は２０以下であることが好ましい。
【００４１】
次に、図２に示すように、処理部１１の設計変数設定部１５は、設計変数を設定する（ステップＳ２）。具体的には、上記ベルト分割部１４により分割されたベルト層１の各領域におけるベルト構造の設計要素を設計変数に設定する。この実施例におけるタイヤ設計方法においては、設計変数として、ベルト構造の設計要素であるベルト層１を構成するコード４のタイヤ周方向（タイヤ赤道面）に対する角度であるコード勾配角度αを設定する。なお、設計変数として設定されるベルト構造の設計要素は、このコード勾配角度αに限られるものではない。例えば、ベルト層１を構成するコード４のコード間隔、コード断面積、コード弾性率、コード質量密度や、ベルト層１を構成するゴムのゴムモジュラス、ゴム質量密度、ゴム厚さ（タイヤ径方向に対する厚さ）などであっても良い。また、ベルト層１の分割されたすべての領域の設計要素として、単一のベルト構造の設計要素を設定する必要はなく、領域ごとに異なるベルト構造の設計要素を設計要素として設定しても良い。
【００４２】
次に、処理部１１の目的関数設定部１６は、目的関数を設定する（ステップＳ３）。具体的には、少なくとも２つのタイヤ性能に影響を与える評価特性値により構成される目的関数を設定する。この実施例におけるタイヤ設計方法においては、評価特性値として、引張り剛性、面内曲げ剛性、面外曲げ剛性のうちいずれか２つを用い、この評価特性値により構成される目的関数を設定する。例えば、２つのタイヤ性能が操縦安定性および乗り心地性であり、高荷重時における操縦安定性および乗り心地性をともに向上させることが２つのタイヤ性能に対する要求である場合は、面内曲げ剛性と面外曲げ剛性とにより構成される目的関数を設定することとなる。また、例えば、２つのタイヤ性能が耐久性および操縦安定性であり、低荷重時における操縦安定性および乗り心地性をともに向上させることが２つのタイヤ性能に対する要求である場合は、引張り剛性と面内曲げ剛性とにより構成される目的関数を設定することとなる。
【００４３】
ここで、目的関数設定部１６は、少なくとも２つのタイヤ性能に影響を与える評価特性値により構成される目的関数を設定する際には、この少なくとも２つの評価特性値の重み付き線形和により目的関数を求める。つまり、設定する目的関数をＯｂｊとし、１つの評価特性値により構成される目的関数Ｐとし、設定する目的関数を構成する評価特性値の数をｎとした際に、下記の式（１）により目的関数であるＯｂｊを設定する。ここで、βiはｉ番目の目的関数に対する重み、Ｐiはｉ番目の目的関数、Ｐi normalはｉ番目の目的関数を正規化する基準値である。
Ｏｂｊ＝Σ｛βi（Ｐi／Ｐi normal）｝（ｉ＝１〜ｎ）                    …（１）
【００４４】
これにより、従来では１つのタイヤ性能に影響を与える評価特性値により目的関数を構成し、他のタイヤ性能に影響を与える評価特性値を制約条件に設定していたが、上記の式（１）を用いることにより、後述する最適化部１７により複数の評価特性値を同時に最適化することができる。
【００４５】
次に、処理部１１の最適化部１７は、上記目的関数設定部１６により設定された目的関数が最適値となる各領域の設計変数を求める（ステップＳ４）。具体的には、少なくとも２つのタイヤ性能に対する要求を満たすように、目的関数設定部１６により設定された目的関数であるＯｊｂを構成するこの少なくとも２つのタイヤ性能に影響を与える評価特性値を最適化する。最適化を行う手段としては、種々の方法が考えられる。
【００４６】
この最適化を行う手段としては、例えば、有限要素法（Finite Element Method：ＦＥＭ）を用いる場合が考えられる。有限要素法を用いる場合は、ベルト層１における各領域を少なくとも最小要素とするベルト層モデルあるいはこのベルト層モデルを備えるタイヤモデルを生成する。そして、この生成されたモデルにおける各領域に設計変数を与え、このモデルによるシミュレーションを行うことで目的関数を解析し、この目的関数が最適値となるまで、シミュレーションを繰り返す。なお、有限要素法に限られず、境界要素法（Boundary Element Method：ＢＥＭ）、有限差分法（finite Differences Method：ＦＤＭ）等も用いても良い。
【００４７】
この実施例にかかるタイヤ設計方法における最適化部１７は、例えば、上記目的関数設定部１６により、面内曲げ剛性と面外曲げ剛性との差が最大となる目的関数が設定されている場合は、図７に示すように、この目的関数が最適値となる各領域における設計変数を求める。ベルト層１の各領域におけるコード勾配角度α11〜α28を同図に示すような値とすることで、面内曲げ剛性と面外曲げ剛性との差が最大となる（同図では、５４％）。従って、面内曲げ剛性と面外曲げ剛性との差が最大とすることで、２つのタイヤ性能に対する要求である高荷重時における操縦安定性および乗り心地性の向上を満足することができる。
【００４８】
また、この実施例にかかるタイヤ設計方法における最適化部１７は、例えば、上記目的関数設定部１６により、引張り剛性と面内曲げ剛性との差が最大となる目的関数が設定されている場合は、図８に示すように、この目的関数が最適値となる各領域における設計変数を求める。ベルト層１の各領域におけるコード勾配角度α11〜α28を同図に示すような値とすることで、引張り剛性と面内曲げ剛性との差が最大となる（同図では、６７％）。従って、引張り剛性と面内曲げ剛性との差が最大とすることで、２つのタイヤ性能に対する要求である耐久性および低荷重時における操縦安定性の向上を満足することができる。
【００４９】
なお、目的関数が最適値となる各領域における設計変数は、例えば表示手段２２に表示され、ユーザに認識される。この実施例にかかるタイヤ設計方法においては、ベルト層１の各領域におけるコード勾配角度αが表示手段２２に表示されることとなる。
【００５０】
そして、処理部１１のタイヤ設計部１８は、上記最適化部１７により求められた各領域の設計変数に基づいて空気入りタイヤを設計する（ステップＳ５）。なお、このタイヤ設計部１８は、ベルト層１のうち分割されていない領域（タイヤ赤道面を挟んで、タイヤ幅方向に分割されていない領域）におけるコード勾配角度αを、求められた各領域におけるコード勾配角度α11〜α28をタイヤ赤道面において点対称に設計する。
【００５１】
以上のように、少なくとも２つのタイヤ性能に影響を与える評価特性値である引張り剛性、面内曲げ剛性、面外曲げ剛性により構成される目的関数が最適化となる設計変数であるコード勾配角度α11〜α28を少なくとも１層のベルト層１のうちタイヤ赤道面からベルト端部１ａまでの範囲をタイヤ幅方向に分割することで形成される領域（例えば、第１ベルト層２を９領域、第２ベルト層３を８領域）ごとに求め、求められた設計変数に基づいて少なくとも１層のベルト層１を有する空気入りタイヤを設計する。従って、求められた設計変数は、タイヤ性能に影響を与える少なくとも２つの評価特性値である引張り剛性、面内曲げ剛性、面外曲げ剛性を満たすもとなり、少なくとも２つのタイヤ性能に対する要求を満たすものとなる。これにより、少なくとも２つのタイヤ性能に対する要求を満たすことができる空気入りタイヤを効率的に設計することができる。
【００５２】
なお、上記実施例においては、有限要素法により、目的関数設定部１６により設定された目的関数が最適値となる各領域の設計変数を求めたが、この発明はこれに限定されない。例えば、関数近似を用いても良い。具体的には、上記目的関数設定部１６は、設定される目的関数を関数で近似する。つまり、目的関数設定部１６は、目的関数と設計変数との関係を近似関数で近似する。そして、最適化部１７は、この近似関数が最適値となる設計変数を求めても良い。つまり、この近似関数により目的関数が最適値となる設計変数を求めても良い。従って、近似関数により目的関数が最適値となる各領域の設計変数を求めるため、演算時間を短縮することができる。なお、目的関数を関数で近似する手段としては、応答曲面法などが考えられる。
【産業上の利用可能性】
【００５３】
以上のように、この発明にかかるタイヤ設計方法、タイヤ設計プログラムおよびタイヤ設計装置は、少なくとも２つのタイヤ性能に対する要求を満たす空気入りタイヤを設計する際に有用であり、特に、効率的に設計するのに適している。
【図面の簡単な説明】
【００５４】
【図１】この発明にかかるタイヤ設計方法を実行するタイヤ設計装置の構成例を示す図である。
【図２】この発明にかかるタイヤ設計方法のフローチャートを示す図である。
【図３】タイヤ設計方法により設計する空気入りタイヤにおけるベルト層の分割の説明図である。
【図４−１】第２ベルト層の各領域におけるコード勾配角度と引張り剛性との関係を示す要因効果図である。
【図４−２】第１ベルト層の各領域におけるコード勾配角度と引張り剛性との関係を示す要因効果図である。
【図５−１】第２ベルト層の各領域におけるコード勾配角度と面内曲げ剛性との関係を示す要因効果図である。
【図５−２】第１ベルト層の各領域におけるコード勾配角度と面内曲げ剛性との関係を示す要因効果図である。
【図６−１】第２ベルト層の各領域におけるコード勾配角度と面外曲げ剛性との関係を示す要因効果図である。
【図６−２】第１ベルト層の各領域におけるコード勾配角度と面外曲げ剛性との関係を示す要因効果図である。
【図７】各領域におけるコード勾配角度と各剛性との結果の一例を示す図である。
【図８】各領域におけるコード勾配角度と各剛性との結果の一例を示す図である。
【符号の説明】
【００５５】
１  ベルト層
２  第１ベルト層
３  第２ベルト層
４  コード
１０  タイヤ設計装置
１１  処理部
１２  記憶部
１３IN  入力ポート
１３OUT  出力ポート
１４  ベルト分割部
１５  設計変数設定部
１６  目的関数設定部
１７  最適化部
１８  タイヤ設計部
２０  端末装置
２１  入力装置
２２  表示装置
３０  データサーバー
【図１】
2006248324.tif 000003
【図２】
2006248324.tif 000004
【図３】
2006248324.tif 000005
【図４−１】
2006248324.tif 000006
【図４−２】
2006248324.tif 000007
【図５−１】
2006248324.tif 000008
【図５−２】
2006248324.tif 000009
【図６−１】
2006248324.tif 000010
【図６−２】
2006248324.tif 000011
【図７】
2006248324.tif 000012
【図８】
2006248324.tif 000013